(57)【要約】【課題】配水管のＳ字形やＵ字形に折れ曲がったトラップ部分の清掃に適し、しかも、該排水管の詰まりの解消だけでなく、該配水管の内面に付着した汚れも除去することが可能な排水管用清掃具を提供する。【解決手段】ワイヤが螺旋状に巻かれて形成された弾性変形可能なコイル状のばね線２と、把持用のグリップ３と、捻られた複数本の針金８間に繊維４を挟持させることにより形成されたブラシ５とを備え、上記ばね線２は、ワイヤが密に巻かれた基端側の第１ばね線部２ａと、ワイヤが粗に巻かれた先端側の第２ばね線部２ｂとから成り、上記第１ばね線部２ａに上記グリップが連結され、上記第２ばね線部２ｂの内部に少なくとも一つの上記ブラシ５が繊維４を螺旋の隙間から外方に突出させた状態で配置され、上記繊維４を螺旋に沿って回転させることにより上記ブラシ５が上記第２ばね線部２ｂに沿って移動可能とした。【選択図】図１
2011056409.tif 000002
【特許請求の範囲】
【請求項１】
ワイヤが螺旋状に巻かれて形成された弾性変形可能なコイル状のばね線と、該ばね線の基端部に取り付けられた把持用のグリップと、捻られた複数本の針金間に繊維を挟持させることにより形成されたブラシとを備え、上記ばね線は、ワイヤが密に巻かれた基端側の第１ばね線部と、ワイヤが粗に巻かれた先端側の第２ばね線部とから成り、上記第１ばね線部に上記グリップが連結され、上記第２ばね線部の内部に少なくとも一つの上記ブラシが繊維を螺旋の隙間から外方に突出させた状態で配置され、上記繊維を螺旋に沿って回転させることにより上記ブラシが上記第２ばね線部に沿って移動可能であることを特徴とする排水管用清掃具。
【請求項２】
上記第１ばね線部は、上記ワイヤが隙間なく巻かれることによって直線方向の剛性が高められていることを特徴とする請求項１に記載の排水管用清掃具。
【発明の詳細な説明】
【技術分野】
【０００１】
本発明は、排水管用清掃具に関するものであり、詳しくは、Ｓ字形やＵ字形に折れ曲がった排水管の清掃に適した排水管用清掃具に関するものである。
【背景技術】
【０００２】
従来から、洗面所又は台所等の排水管の内壁に付着した垢滓等異物を除去する清掃具として、例えば、特許文献１に記載されているように、複数の金属線条を捻って形成した可撓性ワイヤと、該可撓性ワイヤにからめて取り付けた複数のブラシとから成る清掃具が公知である。この種の清掃具は、上記可撓性ワイヤを排水管内に挿入して押し引きすることにより、上記ブラシで排水管の内壁に付着した異物を掻き取り、該排水管内の詰まりを解消するものである。
【０００３】
しかしながら、上記特許文献１に記載の清掃具は、複数の金属線条を捻って形成したものであるうえに、これらの金属線条間にブラシを挟み込んだ状態で固定的に取り付けているため、比較的剛性が大きく、配水管の直線状部分や緩やかに湾曲する部分等を清掃する場合には問題ないが、Ｓ字形やＵ字形等に折れ曲がったトラップ部分を清掃する際には、上記可撓性ワイヤが十分に屈曲できず、該トラップ部分に挿入するのが困難になる場合があった。
【０００４】
一方、１本のワイヤを螺旋状に巻いたコイル状ばね線から成る清掃具も知られており、このような清掃具は、複数の金属線条を捻って形成したものより湾曲し易いため、排水管のＳ字形やＵ字形に折れ曲がったトラップ部分の清掃にも適している。
しかし、このようなコイル状のばね線からなる清掃具は、１本のワイヤを螺旋状に巻いたものであるため、その構造上ブラシの取り付けが困難で、上記特許文献１に記載の清掃具のようなブラシを備えていない。このため、排水管内に詰まった異物の除去には適しているが、該排水管の壁面に付着した汚れまで十分に除去することはできないという欠点があった。
【先行技術文献】
【特許文献】
【０００５】
【特許文献１】登実第３０２６８４６号公報
【発明の概要】
【発明が解決しようとする課題】
【０００６】
そこで本発明の課題は、配水管の直線状部分や緩やかに湾曲する部分の清掃はもちろんのこと、Ｓ字形やＵ字形に折れ曲がったトラップ部分の清掃にも適し、しかも、該排水管の詰まりの解消だけでなく、該配水管の内面に付着した汚れも除去することが可能な排水管用清掃具を提供することにある。
【課題を解決するための手段】
【０００７】
上記課題を解決するため本発明によれば、ワイヤが螺旋状に巻かれて形成された弾性変形可能なコイル状のばね線と、該ばね線の基端部に取り付けられた把持用のグリップと、捻られた複数本の針金間に繊維を挟持させることにより形成されたブラシとを備え、上記ばね線は、ワイヤが密に巻かれた基端側の第１ばね線部と、ワイヤが粗に巻かれた先端側の第２ばね線部とから成り、上記第１ばね線部に上記グリップが連結され、上記第２ばね線部の内部に少なくとも一つの上記ブラシが繊維を螺旋の隙間から外方に突出させた状態で配置され、上記繊維を螺旋に沿って回転させることにより上記ブラシが上記第２ばね線部に沿って移動可能であることを特徴とする排水管用清掃具が提供される。
【０００８】
本発明において好ましくは、上記第１ばね線部は、上記ワイヤが隙間なく巻かれることによって直線方向の剛性が高められていることである。
【発明の効果】
【０００９】
本発明に係る排水管用清掃具は、コイル状のばね線で形成しているため、湾曲し易く、配水管の直線状部分や緩やかに湾曲する部分の清掃はもちろんのこと、Ｓ字形やＵ字形に折れ曲がったトラップ部分の清掃にも適する。この場合特に、該ばね線の先端部を、ワイヤが粗に巻かれた第２ばね線部として湾曲性を高めているため、急激に折れ曲がった上記トラップ部分にも、該ばね線の先端部を該トラップ部分に沿って容易に撓ませて確実に挿入することができる。
しかも、上記ばね線の第２ばね線部にブラシを設けたことにより、排水管の詰まりの解消だけでなく、該配水管の内面に付着した汚れも除去することが可能である。
【図面の簡単な説明】
【００１０】
【図１】本発明に係る排水管用清掃具の全体構成を示す側面図である。
【図２】図１における第１ばね線部と第２ばね線部との境目部分を拡大して示す要部拡大図である。
【図３】図１における第２ばね線部の要部拡大図である。
【図４】ブラシの側面図である。
【図５】本発明に係る排水管用清掃具の使用状態を示す概略断面図である。
【発明を実施するための形態】
【００１１】
図１〜５は、本発明に係る排水管用清掃具の一実施形態を示すものである。
図１に示すように、この排水管用清掃具１は、弾性変形可能に形成されたコイル状のばね線２と、該ばね線２の基端部に取り付けられた把持用のグリップ３と、多数の繊維４を束ねて形成した複数のブラシ５とを備えている。
【００１２】
上記グリップ３は、使用者が把持し易いような円柱状に形成され、その基端部は次第にグリップ幅が広がると共に薄肉化されていて、該基端部に、清掃具をフック等に吊下げる為の吊下孔６が形成されている。また、上記グリップ３の先端部に上記ばね線２の基端が挿入されて連結されることにより、該グリップ３がばね線２と一体に成っている。
【００１３】
上記ばね線２は、弾性的な可撓性を有する１本の金属ワイヤを中空螺旋状に巻くことにより形成されたもので、該ばね線２の内部は中空部７となっている。
上記ワイヤとしては、弾力性があって曲がり癖の付き難いものを用いることが望ましく、また、上記ばね線２の外径は、全長にわたり一定であることが望ましい。
上記ワイヤの線径及びばね線２の外径の好ましい大きさは、清掃対象や清掃条件等によって異なるが、本実施形態においては、線径１ｍｍのワイヤが使用され、外径が５ｍｍのばね線２が形成されている。
【００１４】
上記ばね線２は、上記ワイヤが密に巻かれて形成された基端側の第１ばね線部２ａと、上記ワイヤが粗に巻かれて形成された先端側の第２ばね線部２ｂとからなっていて、これらの第１ばね線部２ａと第２ばね線部２ｂとが、上記１本のワイヤを巻くことによって連続して形成されている。
【００１５】
具体的に、上記第１ばね線部２ａは、上記ワイヤが小さいピッチで密に巻かれることにより、隣接するワイヤ部分すなわち螺旋が隙間なく密接した状態に形成されており、これによってこの第１ばね線部２ａは、第２ばね線部２ｂに比べて直線方向の剛性が高められ、配水管内にばね線２を挿入する際の操作性が高められている。
一方、上記第２ばね線部２ｂは、上記ワイヤが第１ばね線部２ａのピッチより大きなピッチで粗に巻かれることにより、隣接するワイヤ部分間すなわち螺旋間に隙間が介在する状態に形成されており、これによってこの第２ばね線部２ｂは、曲がった排水管内に挿入するとき撓み易くなっている。
【００１６】
上記ばね線２の長さや、第１ばね線部２ａ及び第２ばね線部２ｂの長さは、排水管の屈曲状況など清掃対象や清掃条件等によって好ましい長さが異なるが、本実施形態においては、ばね線２の全長が約１０００ｍｍ、第１ばね線部２ａの長さが約６５０ｍｍ、第２ばね線部２ｂの長さが約３５０ｍｍに形成されている。
【００１７】
上記ブラシ５は、上記ばね線２と別に形成されて上記第２ばね線部２ｂに取り付けられている。このブラシ５は、所謂捻りブラシと呼ばれるもので、図４に示すように、並列かつ平面的に並べた多数の繊維４を２本の針金８の間に挟み込み、該針金８を捻ることによって２本の針金間に上記繊維４を螺旋状に捻られた状態に固定したものである。
上記ブラシ５は、第２ばね線部２ｂの湾曲を阻害しないように、軸線方向長さをできるだけ短くすることが望ましく、このため本実施形態では、ブラシ５の軸線方向長さを約３０ｍｍ、外径を約４０ｍｍに形成している。しかし、ブラシ５の軸線方向長さや外径は、排水管の湾曲の度合いや内径等に応じて変更することができる。
【００１８】
上記繊維４は、植物の葉脈等からなる天然繊維であっても、合成樹脂製の繊維であっても良く、それらを混合したものであっても良い。なお、上記針金８にはワイヤより細いものが使用されており、したがって、２本の針金８を捻ったものによって形成されるブラシ５の芯線９は、上記ばね線２の中空部７の内径より十分に小さい。
【００１９】
このように形成された上記ブラシ５は、図３に示すように、芯線９を上記第２ばね線部２ｂの中空部７内に挿入した状態で該第２ばね線部２ｂに取り付けられており、その取り付けは次のようにして行われる。
すなわち、上記芯線９の一端をばね線２の先端から上記第２ばね線部２ｂの中空部７内に少しだけ挿入し、その状態でブラシ５を回転させる。すると、繊維４がばね線２の螺旋に沿って旋回しながら芯線９と共に螺旋の軸線方向に進むため、上記ブラシ５は、次第に上記第２ばね線部２ｂの内側すなわち第１ばね線部２ａ側に向けて移動し、最終的に完全に第２ばね線部２ｂの内部に配置されることになる。このとき、ブラシ５の繊維４は、隣接するワイヤ部分のピッチ間隔すなわち螺旋の隙間を通じて外方に突出し、上記第２ばね線部２ｂの軸線の回りに放射状に配置される。
同様にして必要数のブラシ５を取り付けた後、ブラシ５の脱落を防止するため、上記ばね線２の先端に合成樹脂製のキャップ１０が取り付けられる。
【００２０】
図示した実施形態では５つのブラシ５が設けられているが、ブラシ５の数は作業条件やブラシ５の大きさ等に応じて適宜変更することができる。場合によっては１つのブラシだけが設けられることもある。
【００２１】
上記ブラシ５は、繊維４を該ワイヤの螺旋に沿って回転させることにより、取付位置を上記第２ばね線部２ｂの軸線に沿って調節可能である。すなわち、上述したように、繊維４が螺旋の隙間から外方に突出しているため、繊維４を持ってブラシ５を一方向に回転させると、該繊維４がワイヤの螺旋に沿って旋回しながら移動し、ブラシ５はばね線２の先端方向か或いは基端方向に移動する。また、ブラシ５を逆方向に回転させると、該ブラシ５は逆方向に移動する。これにより、各ブラシ５の位置や隣接するブラシ間の間隔等を清掃条件に応じて変更することができる。
【００２２】
なお、上記ブラシ５は、清掃時に上記繊維４にばね線２の軸線方向の力が作用しても、該繊維４が回転させられない限り、移動することはない。
また、上記ブラシ５を移動させることができるのは、上記第２ばね線部２ｂの内部だけであり、該第２ばね線部２ｂの基端側では、上記第１ばね線部２ａのワイヤが隙間無く巻かれていて繊維４が入り込めないため、その位置でブラシ５の移動は規制され、第２ばね線部２ｂの先端側では、上記キャップ１０により先端方向への移動が規制される。
【００２３】
上記構成を有する清掃具１で排水管内を清掃する際には、図５に示すように、上記グリップ３を把持し、ばね線２を先端の第２ばね線部２ｂ側から排水管内に必要な深さまで挿入したのち、該ばね線２を押し引き操作し、目詰まりを生じた異物の除去を行うと同時に、排水管の内面に付着した汚れをブラシ５で除去する。
このとき、上記第２ばね線部２ｂは、ワイヤを粗に巻くことにより柔軟に形成されているため、排水管が直線状かあるいは緩やかに湾曲している場合はもちろんのこと、図５のようにＳ字形に湾曲している場合であっても、その曲がりに応じて自在に湾曲し、目的の位置まで容易に挿入される。また、上記第２ばね線部２ｂに取り付けられた複数のブラシ５は、軸方向長さが短く形成されると共に、隣接ブラシ間に間隔が保たれているため、該第２ばね線部２ｂが排水管に沿って必要な角度湾曲するのを阻害しない。
一方、上記ばね線２の第１ばね線部２ａは、ワイヤを密に巻くことによって上記第２ばね線部２ｂより剛性が高められているため、該第２ばね線部２ｂのようには柔軟に湾曲しないが、該第２ばね線部２ｂに追随して排水管内に湾曲しながら挿入される。この第１ばね線部２ａの剛性は、該ばね線２を排水管内に挿入する際や挿入したあと押し引き操作する際の操作性を高める。
【００２４】
かくして、本実施形態に係る排水管用清掃具１は、コイル状のばね線２で形成しているため、湾曲し易く、配水管の直線状部分や緩やかに湾曲する部分の清掃はもちろんのこと、Ｓ字形やＵ字形に折れ曲がったトラップ部分の清掃にも適する。この場合特に、該ばね線２の先端部を、ワイヤが粗に巻かれた第２ばね線部２ｂとして湾曲性を高めているため、急激に折れ曲がった上記トラップ部分にも、該ばね線２の先端部を該トラップ部分に沿って容易に撓ませて確実に挿入することができる。
しかも、上記ばね線２の第２ばね線部２ｂにブラシ５を設けたことにより、排水管の詰まりの解消だけでなく、該配水管の内面に付着した汚れも除去することが可能である。
【００２５】
なお、本実施形態では、複数のブラシ５が、上記第２ばね線部２ｂの内部７に間隔を空けて配置されているが、直線状の排水管や緩やかに湾曲する排水管を清掃する場合のように、ばね線２を急激に曲げる必要がない場合には、複数のブラシ５を上記第２ばね線部２ｂの軸線方向に連続して配置させることもできる。
また、上記ばね線２は、排水管の形状など清掃条件によって、ワイヤの材質や線径等を変えたり、第１及び第２ばね線部２ａ，２ｂにおけるワイヤのピッチを変えること等によって、曲げ方向の柔軟さが適宜変更される。
【００２６】
以上、本発明に係る排水管用清掃具の実施形態について詳細に説明してきたが、本発明は上記実施形態に限定されるものではなく、本発明の要旨を逸脱しない範囲において、様々な設計変更が可能である。例えば、第１ばね線部２ａは、第２ばね線部２ｂより粗に巻かれていれば、螺旋間に隙間があっても良い。この場合、ブラシ５をこの第１ばね線部２ａ側まで移動させることも可能である。
【符号の説明】
【００２７】
１        排水管用清掃具
２        ばね線
２ａ      第１ばね線部
２ｂ      第２ばね線部
３        グリップ
４        繊維
５        ブラシ
７        中空部
【図１】
2011056409.tif 000003
【図２】
2011056409.tif 000004
【図３】
2011056409.tif 000005
【図４】
2011056409.tif 000006
【図５】
2011056409.tif 000007